(57)【要約】【課題】      指挿通部のつれを防止して指挿通孔から指を容易に外せ、脱ぎやすい手袋を提供することである。【解決手段】  手袋１は、手の平が挿入される平部２と指が挿入される指挿通部３を有し、指挿通部３はその先端側に指挿通孔３ａを有し先端側が開放されて指先が出せるようになっている。  指挿通部３の掌部２ａ側の先端側に指差し込み部４が形成されている。指差し込み部４は、カバー体４ａが指挿通部３の掌部２ａ側の指挿通孔３ａ近傍の先端側に添設され、手首部２ｃ側に開口４ｂが設けられてポケット状に形成されている。【選択図】        図１
2009035830.tif 000002
【特許請求の範囲】
【請求項１】
指挿通部の先端側が開放された手袋において、装着した手袋を外すポケット状の指差し込み部を手首部側に開口を有するように設けたことを特徴とする手袋。
【請求項２】
指差し込み部は、指挿通部または平部の指挿通部近傍に設けたことを特徴とする請求項１に記載の手袋。
【請求項３】
指差し込み部は、掌部側に設けたことを特徴とする請求項１または２に記載の手袋。
【発明の詳細な説明】
【技術分野】
【０００１】
本発明は、指挿通部の先端側が開放され、装着した手から外しやすくした手袋に関する。
【背景技術】
【０００２】
従来から魚釣りのように釣り糸を結び、釣り針に餌を取り付けるなど手元にて指先を使う細かい作業を行うため、指挿通部の先端側が開放されて指が出せる手袋が使用されている。
このような手袋は、指挿通部の先端の孔が指に引っ掛かり装着した手から外しにくいという不具合があり、これを解決するために、指挿通部を引っ張るための摘み片を設けた手袋が紹介されている。
しかし、この手袋の摘み片は指に沿わずに指から離れる方向に角度を付けて引かれ易く、また、摘み片を引いたときの手袋自体の伸びで指挿通部がつれてしまうと指挿通部で指が締め付けられてしまうため指の引き抜きを確実に行うことが難しかった。
【特許文献１】特開２００１−１１５３１８号公報
【発明の開示】
【発明が解決しようとする課題】
【０００３】
解決しようとする問題点は、摘み片を設けた手袋は、摘み片を指に沿って引くことが難しく、手袋自体の伸びで指挿通部がつれてしまうため指出し部からの指の引き抜きが難しいことである。
【０００４】
本発明の目的は、前記欠点に鑑み、指に沿って指挿通部を移動させて、手袋のつれを押さえて指挿通部から指を容易に外すことができる手袋を提供することである。
【課題を解決するための手段】
【０００５】
本発明の請求項１は、指挿通部の先端側が開放された手袋において、装着した手袋を外すポケット状の指差し込み部を手首部側に開口を有するように設けたことを要旨とするものである。
本発明の請求項２は、指掛け部は、指挿通部または平部の指挿通部近傍に設けたことを要旨とするものである。
本発明の請求項３は、指差し込み部は、掌部側に設けたことを要旨とするものである。
【発明の効果】
【０００６】
本発明により、手袋にポケット状の指差し込み部を設けたため装着した手袋の指差し込み部に指を差し込んで指挿通部を指に沿って移動させることができ、指挿通部のつれを防止しながら容易に手袋を外すことができる。
【発明を実施するための最良の形態】
【０００７】
以下、図示した実施例によって本発明を説明すると、図１から図３は本願の第１実施例の手袋で、図１は手袋の全体図、図２は手袋の断面図、図３は手袋を外す状態を示す断面図である。
【０００８】
図１のように、手袋１は、伸縮性を有するシート材で形成され、手の平が挿入される平部２と指が挿入される指挿通部３を有し、平部２は掌部２ａと甲部２ｂを有し、両者間に手の平の挿入空間２ｅが形成され、また、手首部２ｃ側に手の平の挿入空間２ｅに通じる手Ｔの差し込み口２ｄが形成されている。
指挿通部３は親指から小指までの指がそれぞれ挿通されるように５つの筒状体が平部２から突設され、これら５つの指挿通部３の全てがその先端側に指挿通孔３ａを有し先端側が開放されて指先が出せるようになっている。
【０００９】
手袋１の指挿通部３の掌部２ａ側の先端側に指差し込み部４が形成されている。
指差し込み部４は、カバー体４ａが指挿通部３の掌部２ａ側の指挿通孔３ａ近傍の先端側に添設され、手首部２ｃ側に向けて開口４ｂが設けられるようにその周縁部が止着部Ｓにて指挿通部３に取り付けられてポケット状に形成されている。
【００１０】
指差し込み部４は、カバー体４ａの内側の指挿通部３との間に装着した手袋１を外すために指を差し込む挿入部４ｃが形成されている。
図２のように、指差し込み部４の挿入部４ｃは、カバー体４ａと指挿通部３（手袋１）との間に空間を設けて形成したが、カバー体４ａが指挿通部３（手袋１）に隙間無く添設されていても開口４ｂから指を差し込む力でカバー体４ａまたは指挿通部３（手袋１）が変形して指の差し込みが可能であればよい。
【００１１】
カバー体４ａは四角形に形成され、指差し込み部４は、その手首部２ｃ側に開口４ｂが形成され、その他の指挿通部３の左右及び先端側の周縁部が止着部Ｓにて縫着されて閉じられている。
したがって、図３のようにポケット状の指差し込み部４は開口４ｂと対向する指挿通部３の先端側に突き当たり部４ｄが形成され、挿入した指の指先が指差し込み部４の最奥部の突き当たり部４ｄに当接し指挿通部３の先端側（矢印方向）に指を移動させることで、指差し込み部４を指挿通孔３ａ側（手袋１を装着した手Ｔの指の先端側）に向けて容易に押圧することができ、また、指差し込み部４に差し込んだ指が不用意に指差し込み部４から外れてしまうことが防止される。
【００１２】
さらに、指差し込み部４はカバー体４ａが指挿通部３（手袋１）に沿って設けられているため、図３のように手袋１を装着した手Ｔと指差し込み部４に指を差し込んだ反対側の手Ｔ１は互いに合掌状に向かい合わせになる。
したがって、両手Ｔ、Ｔ１が押圧し合うこととなり、指差し込み部４は、指挿通部３（手袋１）の掌部２ａ側が手袋を装着した手Ｔ側に押圧されながら手１に沿ってその指先方向に移動するため、指挿通部３（手袋１）がその外方に向けて引かれにくくなり、つれが防止されて筒状の指挿通部３による手Ｔの指の締め付けが緩和されて指挿通部３から指を容易に引き抜くことができる。
【００１３】
指差し込み部４が掌部２ａ側に形成され、開口４ｂが平部２の手首部２ｃ側に向いていると、挿入部４ｃへの指の差し込みが容易で、手Ｔ、Ｔ１を合わせたときに両手の親指と親指など互いに同種の指が対応するためそのまま手Ｔ１を手Ｔの指の長手方向に沿ってその先端側に向けて動かし易い。
また、手袋を装着した手Ｔ側の指を指差し込み部４を設けた掌部２ａ側に曲げることができるため、指挿通部３を手袋を装着した手Ｔ側に押圧しながら手１に沿ってその指先方向に移動することが容易になるため指挿通部３のつれが起こりにくい。
【００１４】
なお、指差し込み部４は、ポケット状に形成されることで上記のように指挿通部３（手袋１）が手袋を装着した手Ｔの指に沿って移動され、指の外方に向けて引かれにくくなり指挿通部３のつれが防止されるようになっているため、指差し込み部４は、指挿通部３の指挿通孔３ａ近傍の他に指挿通部３長手方向の中央側や平部２近傍などの適当位置に設けることができる。
また、指差し込み部４は、指挿通部３（手袋１）と一体に形成してもよい。
【００１５】
図４は、第２実施例で手袋の全体図である。
【００１６】
図４の手袋１は、指挿通部３が指挿通孔３ａで形成され、筒状体が形成されていない。
したがって、平部２の下方に手首部２ｃが形成され、平部２の上方に直接指挿通孔３ａが形成されている。
この様に形成された手袋１の指差し込み部４は、平部２の掌部２ａ側の指挿通孔３ａの近傍に形成され、その開口４ｂは手首部２ｃ側に向いて設けられている。
【００１７】
また、指差し込み部４は、第１実施例と同様にポケット状に形成されているが、カバー体４ａは指挿通孔３ａ側がＵ字状に湾曲して形成され、内部の挿入部４ｃの突き当たり部４ｄ側が差し込む手Ｔ１の指先に合致する先細り状になって挿入部４ｃに差し込んだ指は手Ｔの指先に向けた移動方向を誘導するようになっている。
【００１８】
このように図４の手袋１においても指差し込み部４によって指挿通部３（指挿通孔３ａ）周りのつれを防止して指挿通部３（指挿通孔３ａ）からの指の引き抜きを容易にすることで手袋１を容易に外すことができる。
他の構成は第１実施例と同じである。
【００１９】
図５は第１実施例の手袋の変形例で、親指、人差し指、中指に対応する指挿通部３の先端側が開放され、指挿通孔３ａが形成されて指を出すことができ、その指挿通孔３ａ近傍に指差し込み部４が形成されている。
そして、薬指、小指に対応する指挿通部３’の先端側は閉じられて指全体を覆うようになっている。
このように、一部の指挿通部３に指挿通孔３ａを形成して指差し込み部４を設けてもよい。
他の構成は第１実施例と同じである。
【００２０】
図６は第１実施例の手袋のさらに他の変形例で、指差し込み部４が指挿通部３の甲部２ｂ側に設けられ、その開口４ｂは手首部２ｃ側に向いて設けられている。
他の構成は第１実施例と同じである。
このような手袋１においても指差し込み部４によって指挿通部３のつれを防止して指挿通部３からの指の引き抜きを容易にすることで手袋１を容易に外すことができる。
他の構成は第１実施例と同じである。
【産業上の利用可能性】
【００２１】
本発明は手袋全般に利用できる。
【図面の簡単な説明】
【００２２】
【図１】図１は第１実施例で、手袋の全体図である。
【図２】図２は同手袋の断面図である。
【図３】図３は同手袋を外す状態を示す断面図である。
【図４】図４は第２実施例で手袋の全体図である。
【図５】図５は第１実施例の変形例で手袋の全体図である。
【図６】図６は第１実施例の他の変形例で手袋の全体図である。
【符号の説明】
【００２３】
１      手袋
２      平部
２ａ    掌部
２ｂ    甲部
３      指挿通部
３ａ    指挿通孔
４      指差し込み部
４ｂ    開口
【図１】
2009035830.tif 000003
【図２】
2009035830.tif 000004
【図３】
2009035830.tif 000005
【図４】
2009035830.tif 000006
【図５】
2009035830.tif 000007
【図６】
2009035830.tif 000008